(57)【要約】【課題】  デジタルビデオカメラとテレビを接続した際に、デジタルビデオカメラにテレビの外測センサとなるモードを設け、テレビの画質、音量等を周囲の環境に応じてコントロール可能となるデジタルビデオカメラ、テレビ接続システムを提供する。【解決手段】  デジタルビデオカメラ１０２がテレビ１０１に接続されると、デジタルビデオカメラ１０２のモードが外測センサモードになり、テレビ１０１の外測センサの役割となる。デジタルビデオカメラ１０２が持つマイク、測光、測色、測距機能を使い周囲環境情報を取得し、テレビ１０１の音量、明るさ、ホワイトバランスを周囲環境に応じて制御する。また、視聴者とテレビとの距離が近い場合には警告表示をテレビに行う。また、外測センサの役割を担う機能のオン／オフは任意に設定することを可能とする。また、テレビ１０１の前に人がいないことを検知すると、テレビ１０１の電源をオフする。【選択図】  図１
2009088626.tif 000002
【特許請求の範囲】
【請求項１】
被写体を撮像し、電気信号に変換する映像撮像手段と、その電気信号を処理し、映像信号に変換する映像信号処理手段と、光量を検出する測光手段とその測光手段が検出した光の色温度を判別する色温度測定手段と、映像信号より光量やホワイトバランスの調整を行う映像調整手段と、音声を検出するマイクロホンと、そのマイクロホンによって検出された音声信号を処理する音声処理手段と、撮影画面の被写体部分の測距を行うための測距部を有する測距手段と、ビデオカメラ全般の制御を行うカメラ制御用マイコンと、撮影画面の拡大／縮小を制御するズーム制御手段と、外部機器に接続する映像信号用と音声信号用とコントロール信号用の端子及び電源接続用の端子を有した撮像装置と前記撮像装置に接続されるテレビジョン放送を受信する受信手段を備えるテレビジョン受像機とのシステムにおいて、前記撮像装置が前記テレビジョン受像機の外測センサとなるモードを持つことを特徴とするシステム。
【請求項２】
画面の明るさを制御する明るさ制御手段を更に備えた前記テレビジョン受像機を前記撮像装置の前記測光手段によって検知された明るさに応じて、前記明るさ制御手段を制御することを特徴とする請求項１に記載のシステム。
【請求項３】
画面の白色を制御するホワイトバランス制御手段を更に備えた前記テレビジョン受像機を前記撮像装置の前記色温度測定手段によって検知された色温度に応じて、白色を制御するホワイトバランス制御手段を制御することを特徴とする請求項１に記載のシステム。
【請求項４】
請求項２又は、請求項３に記載の制御を行う際に前記ズーム手段をワイド端に制御することを特徴とする請求項１に記載のシステム。
【請求項５】
前記テレビジョン放送を受信する受信手段により受信されたテレビジョン放送の音声信号を音声として出力する音声出力装置を更に備え、出力レベルが所定の一定値になるように前記音声出力装置を制御する制御手段を備えた前記テレビジョン受像機を前記撮像装置の前記マイクロホンによって検出された音声信号レベルに応じて前記音声出力装置を制御することを特徴とする請求項１に記載のシステム。
【請求項６】
請求項５に記載の制御を行う際に前記マイクロホンの特性を変えることを特徴とする請求項１に記載のシステム。
【請求項７】
前記テレビジョン受像機と視聴者との距離を前記撮像装置の前記測距手段から得られる距離に応じて、前記テレビジョン受像機に警告表示を表示することを特徴とする請求項１に記載のシステム。
【請求項８】
前記撮像装置が請求項１に記載の外測センサモードにある時、外測センサとして使用する項目を手動で選択するか、自動で選択するかを任意に設定できることを特徴とする請求項１に記載のシステム。
【請求項９】
前記撮像装置が前記テレビジョン受像機に接続されると前記撮像装置の電源は前記テレビジョン受像機の電源に同期して電源のオン/オフを行い、前記撮像装置のバッテリに充電を行うことを特徴とする請求項１に記載のシステム。
【請求項１０】
人物を検知する人検出手段を更に備えた前記撮像装置が人物を検出しないと、前記テレビジョン受像機の電源をオフにすることを特徴とする請求項１に記載のシステム。
【請求項１１】
放送番組による映像信号及び音声信号と種々のデータによるデータ信号とがそれぞれ符号化されて多重化されている多重化デジタルテレビ信号を搬送しているデジタルテレビ放送波を更に受信することができる前記テレビジョン受像機において、放送番組のジャンルデータに応じて、請求項１〜請求項１０のいずれかに記載の制御を行うことを特徴とするシステム。
【発明の詳細な説明】
【技術分野】
【０００１】
本発明はデジタルビデオカメラとテレビを接続した際のシステムに関するものである。
【背景技術】
【０００２】
近年、電気通信技術の目覚ましい発展により、高画質のハイビジョン（ＨＤＴＶ）や衛星放送技術を利用した多チャンネル放送、デジタルハイビジョン放送等のマルチメディア化が進行している。これらの動向に呼応した電気機器も開発されており、様々な多機能商品が登場している。例えば、テレビジョン受像機においては、地上デジタル放送対応フルHDテレビジョン受像機も普及している。一方、ビデオカメラは一般家庭に広く普及しているにも拘らず、その使用頻度は他の家電製品に比べて少ない。その原因の一つは撮影の為の準備が煩雑であることが挙げられる。例えば、ビデオカメラは、通常ケース或いは棚などに保管されているため、使用する際には保管場所から取り出さなければならない。また、電源としてバッテリ或いは専用のＡＣアダプタを介して電源コンセントに接続しなければならず、いざ撮影を行おうとした時にバッテリが充電されていないといった事態も起こる。従来、ビデオカメラとテレビジョン受像機を接続するのは、ビデオカメラで撮影した映像を見る時、ビデオカメラで撮影している映像をテレビジョン受像機に表示する時、カメラで撮影した画像を最適な色バランスになるようにテレビジョン受像機にカラーバーなどのサンプル画像を表示し、その画像をカメラで取り込んで校正する時(例えば、特許文献１参照)等の用途しかない。
【特許文献１】特開2004−48440号公報
【発明の開示】
【発明が解決しようとする課題】
【０００３】
本発明は、このような観点に鑑みてなされたものであり、その課題は、ビデオカメラの使用頻度の少なさや準備の煩雑さを解消するとともに、ビデオカメラの様々な機能を用いてテレビジョン受像機の機能を周囲の環境に応じて制御するシステムを提供することを目的とする。
【課題を解決するための手段】
【０００４】
上記目的を達成するため、本発明は、被写体を撮像し、電気信号に変換する映像撮像手段と、その電気信号を処理し、映像信号に変換する映像信号処理手段と、光量を検出する測光手段とその測光手段が検出した光の色温度を判別する色温度測定手段と、映像信号より光量やホワイトバランスの調整を行う映像調整手段と、撮影画面の拡大／縮小を制御するズーム制御手段と、その映像信号を外部機器に出力する映像信号出力手段と、音声を検出するマイクロホンと、そのマイクロホンによって検出された音声信号を処理する音声処理手段と、撮影画面の被写体部分の測距を行うため測距手段と、ビデオカメラ全般の制御を行うカメラ制御用マイコンと、外部機器に接続する映像信号用と音声信号用とコントロール信号用の端子及び電源接続用の端子等を有した撮像装置と前記撮像装置に接続されるテレビジョン放送を受信する受信手段を備えるテレビジョン受像機とのシステムにおいて、前記撮像装置が前記テレビジョン受像機の外測センサとなるモードを持つことを特徴とするシステム。
【０００５】
画面の明るさを制御する明るさ制御手段を更に備えた前記テレビジョン受像機を前記撮像装置の前記測光手段によって検知された明るさに応じて、前記明るさ制御手段を制御することを特徴とするシステム。
【０００６】
画面の白色を制御するホワイトバランス制御手段を更に備えた前記テレビジョン受像機を前記撮像装置の前記色温度測定手段によって検知された色温度に応じて、白色を制御するホワイトバランス制御手段を制御することを特徴とするシステム。
【０００７】
前記明るさ制御及びホワイトバランス制御の際に前記ズーム手段をワイド端に制御することを特徴とするシステム。
【０００８】
前記テレビジョン放送を受信する受信手段により受信されたテレビジョン放送の音声信号を音声として出力する音声出力装置を更に備え、出力レベルが所定の一定値になるように前記音声出力装置を制御する制御手段を備えた前記テレビジョン受像機を前記撮像装置の前記マイクロホンによって検出された音声信号レベルに応じて前記音声出力装置を制御することを特徴とするシステム。
【０００９】
前記音声出力制御を行う際に前記マイクロホンの特性を変えることを特徴とするシステム。
【００１０】
前記テレビジョン受像機と視聴者との距離を前記測距手段から得られる距離に応じて、前記テレビジョン受像機に警告表示を表示することを特徴とするシステム。
【００１１】
前記撮像装置が請求項１に記載の外測センサモードにある時、外測センサとして使用する項目を手動で選択するか、自動で選択するかを任意に設定できることを特徴とするシステム。
【００１２】
前記撮像装置が前記テレビジョン受像機に接続されると前記撮像装置の電源は前記テレビジョン受像機の電源に同期して電源のオン/オフを行い、バッテリに充電すること特徴とするシステム。
【００１３】
人物を検知する人検出手段を更に備えた前記撮像装置が人物を検出しないと、前記テレビジョン受像機の電源をオフにすることを特徴とするシステム。
【００１４】
放送番組による映像信号及び音声信号と種々のデータによるデータ信号とがそれぞれ符号化されて多重化されている多重化デジタルテレビ信号を搬送しているデジタルテレビ放送波を更に受信することができる前記テレビジョン受像機において、放送番組のジャンルデータに応じて、請求項１乃到請求項１０に記載の制御を行うことを特徴とするシステム。
【発明の効果】
【００１５】
以上説明したように、本発明によれば、ビデオカメラに外測センサとなるモードを設けることにより、視聴者はテレビジョン受像機の使用環境に応じての最適なホワイトバランス、明るさ、音量、距離でテレビジョンを視聴することができビデオカメラとテレビジョン受像機の接続形態の新しい可能性を広げることが可能となる。
【００１６】
また、テレビジョン受像機と接続している間にバッテリへの充電を行うことにより、準備の煩わしさも解消され、ビデオカメラの使用頻度の向上へ繋がる。
【００１７】
また、人物の検知によりテレビジョン受像機の電源をオフすることにより、省電効果もある。
【発明を実施するための最良の形態】
【００１８】
次に、本発明の詳細を実施例の記述に従って説明する。
【実施例１】
【００１９】
本発明の概要について説明する。本発明は、デジタルビデオカメラがテレビに接続されると、デジタルビデオカメラのモードが外測センサモードになり、テレビの外測センサの役割となる。そして、テレビの音量、明るさ、ホワイトバランスを周囲環境に応じて制御する。このように、デジタルビデオカメラに外測センサモードを設けることによって、デジタルビデオカメラの持つ様々な機能を有効活用し、視聴者にとって常に最適な画質、音量でテレビの映像を楽しむことができるようになる。
【００２０】
図３はデジタルビデオカメラのブロック図である。デジタルビデオカメラ１０２は撮像素子３０５、CPU３０１、画像処理エンジン３０２、FlashROM（フラッシュROM）３０３、SDRAM(Synchronous Dynamic RAM)３０４、測光回路３０８、測色回路３０６、測距回路３０７、I/F３０９、電源回路３１０、バッテリ３１１を備えている。撮像素子３０５はデジタルビデオカメラ１０２のレンズを通して結像された画像を電気信号に変換するための光電変換素子である。CPU３０１はデジタルビデオカメラ１０２全体の制御及び演算処理を司る中央処理装置であり、FlashROM（フラッシュROM）３０３に格納されたプログラムに基づいて図２のフローチャートのデジタルビデオカメラに関する処理を実行する。画像処理エンジン３０２は、撮像素子３０５から送られてきた電気信号を処理する。FlashROM３０３は、デジタルビデオカメラ１０２全体を制御するプログラムを格納する。SDRAM３０４は、データ処理作業に使用される。I/F３０９は、外部機器を接続するためのものである。測距回路３０７は、撮像素子３０５に入射する被写体像光から位相差を検出し、位相差にしたがって被写体までの距離を測定する。CPU３０１はこの測距回路３０７の測距信号に応じて撮影レンズを駆動し、合焦制御する。測光回路３０８は、被写体の明るさを検出し、その被写体輝度信号を、シャッタ時間や絞り値などの露出条件を定めるための輝度信号、或いは、撮像素子の電荷蓄積時間を定めるための輝度信号などとしてCPU３０１に送る。測色回路３０６は、被写体の色を検出する。デジタルビデオカメラ１０２の電源は、バッテリ３１１又は電源入力端子に接続される図示せぬＡＣパワーアダプター等の外部電源を用いることができる。バッテリ３１１等から供給される電力は、ＤＣ／ＤＣコンバータを含む電源回路３１０によって所要の電圧に変換された後、各回路ブロックに供給される。
【００２１】
図１に本発明の模範的なシステム構成例を示す。テレビ１０１にデジタルビデオカメラ１０２が結合されている。デジタルビデオカメラ１０２は、ケーブル１０３を介してテレビ１０１に結合される。ビデオカメラ１０２がテレビ１０１と接続されたことを検知すると、ビデオカメラ１０２に設けられたモードが外測センサモードとなり、テレビの外測センサの役割を担う。ビデオカメラ１０２のマイク１０４を使用し、周囲の音を検出してテレビ１０１の音量を変化させる。ビデオカメラ１０２の測光機能を使用して、周囲の明るさに応じてテレビ１０１の明るさを変化させる。また、ビデオカメラ１０２の測色機能を用いて、テレビ１０１のホワイトバランスを調節する。これにより、周囲の環境に応じてテレビ１０１の画質、音量をコントロールすることができ、視聴者が最適な画質、音量でテレビを視聴することができるようになる。
【００２２】
図２は本発明の実施の形態に係わるデジタルビデオカメラをテレビの外測センサとして用いる際の動作のフローチャートである。先ず、デジタルカメラがテレビと接続されているかを識別する（ステップS２０１）。次に、センサVTRモード（ステップS２０２）、センサモード（ステップS２０３）が選択された場合は、ステップS２０４に進む。センサモード（ステップS２０３）はテレビ放送を表示する際に使用するモードであり、センサVTRモード（ステップS２０２）は予め撮影された記録メディアを再生する際に使用するモードである。続いて、外測センサとしての機能を手動で設定するかAUTO設定にするかを選択する（ステップS２０４）。手動が設定された場合、ステップS２０５に進み、どのセンサを使用するかを選択する。マイク１０４が選択された場合（ステップS２０８）周囲の音量を検出するのに適する特性にマイクの特性を変更する。そして、周囲の音量に応じてテレビ側の音量を変化させる（ステップS２０９）。ステップS２０５で測光機能がセンサとして選択された場合、周囲全体の明るさを検知するため、レンズをワイド端にする（ステップS２０６）。そして、周囲の明るさに応じてテレビの明るさを変化させる（ステップS２０７）。例えば、周囲が明るい時はテレビの明るさを明るくし、周囲が暗い時はテレビの明るさを暗くする。ステップS２０５で測色機能がセンサとして選択された場合、周囲の照明の色温度を検知するため、レンズをワイド端にする（ステップS２１０）。そして、周囲の照明状況に応じてテレビのホワイトバランスを変化させる（ステップS２１１）。ステップS２０５で測距機能がセンサとして選択された場合、テレビと視聴者との距離を計測し（ステップS２１２）、近ければテレビ画面に警告を表示する（ステップS２１３）。この時の警告表示例を図４に示す。
【００２３】
ステップS２０５でどの機能をセンサとして使用するかは、メニューから選択する。その時、テレビ側のメニュー、デジタルビデオカメラ側のメニューのどちらからでも選択することができる。ここで、ステップS２０４でAUTO設定が選択された場合は、全てのセンサ機能をONにする（ステップS２１４）。マイク１０４をセンサとして使用するために周囲の音量を検出するのに適する特性にマイクの特性を変更させる（ステップS２１５）。続いて、測距機能をセンサとして使用して周囲全体の明るさを検知するため、レンズをワイド端にする（ステップS２１６）。そして、測色機能をセンサとして使用して周囲の照明の色温度を検知するため、レンズをワイド端にする（ステップS２１６）。さらに、測距機能を用いてテレビと視聴者の距離を測定（ステップS２１７）し、距離が近いようであれば、ステップS２１８でテレビ側の音量、明るさ、ホワイトバランスを制御し、更に、視聴者がテレビ画面に近い旨を警告する表示をテレビ画面上に表示する。ステップS２１７での距離が遠いようであれば、テレビ側の音量、明るさ、ホワイトバランスの制御を行う（ステップS２１９）。
【００２４】
外測センサモードに移行した際は、センサとして使用していないブロックへの電源を供給しないことにより、ビデオカメラ１０２の省電を行う。また、ケーブル１０３を介してテレビ１０１から電源を供給しても良い。その際、バッテリ１０５への充電も行う。そして、テレビ１０１の電源のオン／オフに同期してビデオカメラ１０２の電源がオン／オフされる。また、ビデオカメラ１０２でテレビ１０１の前に人が居るか居ないかを検出し、ある一定時間人がテレビ１０１の前に居ない場合は、自動的にテレビ１０１の電源を落とす。
【００２５】
尚、本発明の第１の実施の形態では、テレビ１０１とデジタルビデオカメラ１０２を接続した際、モードの選択をユーザが設定していたが、接続を検出した際に自動でモードが切り替わってもよい。
【００２６】
以上説明したように、デジタルビデオカメラに外測センサモードをもうけることにより、ビデオカメラの持つ機能を活用して、周囲の環境に応じたテレビの画質、音量をコントロールすることができ、視聴者が最適な画質、音量でテレビを楽しむことが可能となる効果を奏する。また、ビデオカメラとテレビの接続においての新しい使用方法であり、撮影時以外でもビデオカメラを生活の中に取り込むことによって、準備の煩わしさを解消し、ビデオカメラの使用頻度の向上へ繋がるという効果を奏する。
【００２７】
また、ビデオカメラによる人物の検知により、テレビの前に人が居ない時にはテレビの電源をオフすることから、省電が可能となる効果を奏する。
【実施例２】
【００２８】
放送番組による映像信号及び音声信号と種々のデータによるデータ信号を搬送しているデジタルテレビ放送波を受信することができるテレビにおいて、取得される放送番組のジャンルデータに応じて上記第１の実施形態で示した制御と同様の制御を行う。例えば、ジャンルデータが映画であれば映画館と同じ視聴環境になるようなホワイトバランス、明るさの制御を行う。ジャンルデータが音楽であればライブ・コンサート会場と同じ視聴環境になるようなホワイトバランス、明るさの制御を行う。ジャンルデータがスポーツであれば観戦会場と同じ視聴環境になるようにホワイトバランス、明るさの制御を行う。
【００２９】
以上説明したように、デジタル放送のデータを活用して、上記第１の実施形態で示した制御を行うことにより、視聴者は周囲の環境と映像のジャンルに応じた、最適な画質で映像を楽しむことができるようになる効果を奏する。
【００３０】
（他の実施例）
本発明の上記第1〜第2の実施の形態では、撮像装置としてデジタルビデオカメラを例に挙げたが、本発明はこれに限定されるものではなく、デジタルカメラにも適用可能である。
【００３１】
また、テレビ１０１とビデオカメラ１０２の接続方法をケーブル１０３を介して例に挙げたが、無線であってもよい。
【図面の簡単な説明】
【００３２】
【図１】本発明の実施形態に係わるデジタルビデオカメラ及びテレビを接続するシステムの構成例を示す図である。
【図２】本発明の実施の形態に係わるビデオカメラをテレビの外測センサとして用いる際の動作のフローチャートである。
【図３】本例におけるビデオカメラの内部構造を示すブロック図である。
【図４】テレビと視聴者との距離が近かった際に表示する画面例を示す。
【符号の説明】
【００３３】
１０１  テレビジョン受像機
１０２  デジタルビデオカメラ（撮像装置）
１０４  マイクロホン
３０６  測色回路
３０７  測距回路
３０８  測光回路
【図１】
2009088626.tif 000003
【図２】
2009088626.tif 000004
【図３】
2009088626.tif 000005
【図４】
2009088626.tif 000006